(57)【要約】      （修正有）【課題】一つのマシンで二つの機能を持ち、操作しやすく、機構を簡単化し、稼働におけるエネルギー消費を低減できる直線矯正機を提供する。【解決手段】延伸機能を備える下部主動型混合圧力ロール式鉄筋直線矯正機において、直線矯正機の前端に位置する牽引機構と、牽引機構の後端に位置する直線矯正延伸機構と、直線矯正延伸機構の後端に位置するフィード機構とを含む。牽引機構は、牽引ロールフレーム１と、下牽引ロール２と、上牽引ロール３と、牽引ロール調整部材４からなる。直線矯正延伸機構は、直線矯正ロールフレーム７と、二列の直線矯正ロール８と、直線矯正ロール調整部材９からなる。フィード機構は、フィードロールフレーム１２と、下列フィードロール１３と、上列フィードロール１４と、フィードロール調整部材１５からなる。原動機と動力的に接続する牽引ロールに挟まれながら前進し続ける鉄筋６は、直線矯正機構の受動直線矯正ロールにより繰り返し押圧されて湾曲し、直線に矯正されて伸長する。【選択図】図１
0003188803.tif 000002
【実用新案登録請求の範囲】
【請求項１】
延伸機能を備える下部主動型混合圧力ロール式鉄筋直線矯正機において、直線矯正機の前端に位置する牽引機構と、牽引機構の後端に位置する直線矯正延伸機構とを含み、直線矯正延伸機構は、直線矯正ロールフレームと、二列の直線矯正ロールと、直線矯正ロール調整部材からなり、二列の直線矯正ロールは、直線矯正ロール軸とベアリングを介して直線矯正ロールフレームに取り付けられ、いずれも受動的であり、かつ互いにずらして被加工物である鉄筋に押圧することを特徴とする延伸機能を備える下部主動型混合圧力ロール式鉄筋直線矯正機。
【請求項２】
牽引機構は、牽引ロールフレームと、下牽引ロールと、上牽引ロールと、牽引ロール調整部材からなり、下牽引ロールは、牽引ロール軸を介して牽引ロールフレームに取り付けられ、上牽引ロールは、牽引ロール軸とベアリングを介して牽引ロールフレームに取り付けられ、牽引ロール調整部材は、牽引ロール軸と接続し、下牽引ロールは、牽引ロール軸を介して原動機の動力出力部材と接続し、下牽引ロールは主動的であり、上牽引ロールは受動的であり、牽引ロール調整部材による作用で被加工物である鉄筋を挟持することを特徴とする請求項１に記載の延伸機能を備える下部主動型混合圧力ロール式鉄筋直線矯正機。
【請求項３】
直線矯正延伸機構の後端に位置するフィード機構を更に備え、フィード機構は、フィードロールフレームと、下列フィードロールと、上列フィードロールと、フィードロール調整部材からなり、下列フィードロールと上列フィードロールは、フィードロール軸を介してフィードロールフレームに取り付けられ、フィードロール調整部材は、フィードロール軸と接続し、フィードロール軸は、クラッチを介して原動機と接続し、かつ互いに揃っており、下列フィードロールと上列フィードロールは、フィードロール調整部材による作用で被加工物である鉄筋を挟持し、クラッチが結合するときに主動的であり、クラッチが分離したときに受動的であり、下列フィードロールと上列フィードロールの軸線は、ともに被加工物である鉄筋の軸線に対して垂直となることを特徴とする請求項２に記載の延伸機能を備える下部主動型混合圧力ロール式鉄筋直線矯正機。
【請求項４】
直線矯正延伸機構の二列の直線矯正ロールは、水平方向に配置されることを特徴とする請求項３に記載の延伸機能を備える下部主動型混合圧力ロール式鉄筋直線矯正機。
【請求項５】
直線矯正延伸機構の二列の直線矯正ロールは、垂直方向に配置されることを特徴とする請求項３に記載の延伸機能を備える下部主動型混合圧力ロール式鉄筋直線矯正機。
【請求項６】
直線矯正延伸機構は、水平直線矯正延伸機構と垂直直線矯正延伸機構からなり、水平直線矯正延伸機構は、水平方向に配置され、垂直直線矯正延伸機構は、垂直方向に配置されることを特徴とする請求項３に記載の延伸機能を備える下部主動型混合圧力ロール式鉄筋直線矯正機。
【請求項７】
牽引ロールフレームには、上下に揃う下牽引ロールと上牽引ロールもあれば、上下にずらした下牽引ロールと上牽引ロールもあり、上下に揃う下牽引ロールと上牽引ロールは、牽引ロールフレームの前部、中部、後部に位置し、他はいずれも上下にずらした下牽引ロールと上牽引ロールであることを特徴とする請求項２に記載の延伸機能を備える下部主動型混合圧力ロール式鉄筋直線矯正機。
【請求項８】
牽引ロールフレームには、上下に揃う下牽引ロールと上牽引ロールもあれば、上下にずらした下牽引ロールと上牽引ロールもあり、上下に揃う下牽引ロールと上牽引ロールは、牽引ロールフレームの前部と後部に位置し、他はいずれも上下にずらした下牽引ロールと上牽引ロールであることを特徴とする請求項２に記載の延伸機能を備える下部主動型混合圧力ロール式鉄筋直線矯正機。
【請求項９】
牽引ロールフレームには、上下に揃う下牽引ロールと上牽引ロールもあれば、上下にずらした下牽引ロールと上牽引ロールもあり、上下に揃う下牽引ロールと上牽引ロールは、牽引ロールフレームの前部と中部に位置し、他はいずれも上下にずらした下牽引ロールと上牽引ロールであることを特徴とする請求項２に記載の延伸機能を備える下部主動型混合圧力ロール式鉄筋直線矯正機。
【請求項１０】
牽引ロールフレームには、上下に揃う下牽引ロールと上牽引ロールもあれば、上下にずらした下牽引ロールと上牽引ロールもあり、上下に揃う下牽引ロールと上牽引ロールは、牽引ロールフレームの中部と後部に位置し、他はいずれも上下にずらした下牽引ロールと上牽引ロールであることを特徴とする請求項２に記載の延伸機能を備える下部主動型混合圧力ロール式鉄筋直線矯正機。
【請求項１１】
牽引ロールフレームには、上下に揃う下牽引ロールと上牽引ロールもあれば、上下にずらした下牽引ロールと上牽引ロールもあり、上下に揃う下牽引ロールと上牽引ロールは、牽引ロールフレームの中部に位置し、他はいずれも上下にずらした下牽引ロールと上牽引ロールであることを特徴とする請求項２に記載の延伸機能を備える下部主動型混合圧力ロール式鉄筋直線矯正機。
【請求項１２】
牽引ロールフレームには、上下に揃う下牽引ロールと上牽引ロールもあれば、上下にずらした下牽引ロールと上牽引ロールもあり、上下に揃う下牽引ロールと上牽引ロールは、牽引ロールフレームの前部に位置し、他はいずれも上下にずらした下牽引ロールと上牽引ロールであることを特徴とする請求項２に記載の延伸機能を備える下部主動型混合圧力ロール式鉄筋直線矯正機。
【請求項１３】
牽引ロールフレームには、上下に揃う下牽引ロールと上牽引ロールもあれば、上下にずらした下牽引ロールと上牽引ロールもあり、上下に揃う下牽引ロールと上牽引ロールは、牽引ロールフレームの後部に位置し、他はいずれも上下にずらした下牽引ロールと上牽引ロールであることを特徴とする請求項２に記載の延伸機能を備える下部主動型混合圧力ロール式鉄筋直線矯正機。
【請求項１４】
牽引ロールフレームには、上下に揃う下牽引ロールと上牽引ロールもあれば、上下にずらした下牽引ロールと上牽引ロールもあり、上下に揃う下牽引ロールと上牽引ロールは、牽引ロールフレームの前部、中部、後部に位置し、他はいずれも上下にずらした下牽引ロールと上牽引ロールであることを特徴とする請求項３に記載の延伸機能を備える下部主動型混合圧力ロール式鉄筋直線矯正機。
【請求項１５】
牽引ロールフレームには、上下に揃う下牽引ロールと上牽引ロールもあれば、上下にずらした下牽引ロールと上牽引ロールもあり、上下に揃う下牽引ロールと上牽引ロールは、牽引ロールフレームの前部と後部に位置し、他はいずれも上下にずらした下牽引ロールと上牽引ロールであることを特徴とする請求項３に記載の延伸機能を備える下部主動型混合圧力ロール式鉄筋直線矯正機。
【請求項１６】
牽引ロールフレームには、上下に揃う下牽引ロールと上牽引ロールもあれば、上下にずらした下牽引ロールと上牽引ロールもあり、上下に揃う下牽引ロールと上牽引ロールは、牽引ロールフレームの前部と中部に位置し、他はいずれも上下にずらした下牽引ロールと上牽引ロールであることを特徴とする請求項３に記載の延伸機能を備える下部主動型混合圧力ロール式鉄筋直線矯正機。
【請求項１７】
牽引ロールフレームには、上下に揃う下牽引ロールと上牽引ロールもあれば、上下にずらした下牽引ロールと上牽引ロールもあり、上下に揃う下牽引ロールと上牽引ロールは、牽引ロールフレームの中部と後部に位置し、他はいずれも上下にずらした下牽引ロールと上牽引ロールであることを特徴とする請求項３に記載の延伸機能を備える下部主動型混合圧力ロール式鉄筋直線矯正機。
【請求項１８】
牽引ロールフレームには、上下に揃う下牽引ロールと上牽引ロールもあれば、上下にずらした下牽引ロールと上牽引ロールもあり、上下に揃う下牽引ロールと上牽引ロールは、牽引ロールフレームの中部に位置し、他はいずれも上下にずらした下牽引ロールと上牽引ロールであることを特徴とする請求項３に記載の延伸機能を備える下部主動型混合圧力ロール式鉄筋直線矯正機。
【請求項１９】
牽引ロールフレームには、上下に揃う下牽引ロールと上牽引ロールもあれば、上下にずらした下牽引ロールと上牽引ロールもあり、上下に揃う下牽引ロールと上牽引ロールは、牽引ロールフレームの前部に位置し、他はいずれも上下にずらした下牽引ロールと上牽引ロールであることを特徴とする請求項３に記載の延伸機能を備える下部主動型混合圧力ロール式鉄筋直線矯正機。
【請求項２０】
牽引ロールフレームには、上下に揃う下牽引ロールと上牽引ロールもあれば、上下にずらした下牽引ロールと上牽引ロールもあり、上下に揃う下牽引ロールと上牽引ロールは、牽引ロールフレームの後部に位置し、他はいずれも上下にずらした下牽引ロールと上牽引ロールであることを特徴とする請求項３に記載の延伸機能を備える下部主動型混合圧力ロール式鉄筋直線矯正機。
【考案の詳細な説明】
【技術分野】
【０００１】
本考案は、建築鉄筋の直線矯正設備に係り、特に延伸機能を備える下部主動型混合圧力ロール式鉄筋直線矯正機に関する。
【背景技術】
【０００２】
中国の最新修訂版の「コンクリート構造工事における工事品質検収基準」の５、３、２Ａ条の規定によると、コイル形式で供給する鉄筋につき、直線矯正後の許容単位長さ当たりの重量負偏差が≦８〜１０％である。すなわち、コイル形式で供給するＨＲＢ３００以下強度級の鉄筋につき、直線矯正後の許容単位長さ当たりの重量負偏差が≦１０％であり、コイル形式で供給するＨＲＢ３３５以上強度級の鉄筋につき、直線矯正後の許容単位長さ当たりの重量負偏差が≦８％である。該規定は、コイル鉄筋につき直線矯正加工時に一定量で延伸させた場合に鉄筋の強度が少し向上するが、その他の物理指標に大きな変化がなくしかも国家基準の範囲内に収まることに基づいて制定されたものである。したがって、コイル鉄筋につき直線矯正加工時に一定量で延伸させた場合、建築品質を向上させるだけではなく、建築用鋼材を大量に節約することもできる。
【０００３】
コイル鉄筋は、直線矯正機によって直線矯正加工を行われてから建築コンクリート内に使用されるようになる。一方、現在の鉄筋直線矯正機には、下記二種類の構造のものがある。
【０００４】
１．回転フレーム式鉄筋直線矯正機
稼働時に、直線矯正ブロックまたは直線矯正ローラは、牽引されて通過する鉄筋周りにスパイラル動作をする。直線矯正ブロックまたは直線矯正ローラを鉄筋に過量に押圧すると、直線矯正後の鉄筋は、ツイストパンのようにねじるようになる。このような構造の鉄筋直線矯正機は、鉄筋を直線に矯正することができるが、鉄筋を延伸させることができない。
【０００５】
２．圧力ロール式鉄筋直線矯正機
該圧力ロール式鉄筋直線矯正機は、互いにずらした二列の直線矯正ロールと二列の直線矯正ロール軸と直線矯正ロールフレームからなる圧力ロール式直線矯正機構を含む。互いにずらした二列の直線矯正ロールは、直線矯正ロール軸を介して直線矯正ロールフレームに取り付けられ、下の列の直線矯正ロールは、直線矯正ロール軸を介して原動機の動力出力部材と接続する。すなわち、下の列の直線矯正ロールは、全て主動ロールであり、上の列の直線矯正ロールは、全て受動ロールである。被加工物である鉄筋は、主動ロールと受動ロールとの間にある。受動ロールは、調整機構を介して、主動ロールにおかれた鉄筋を湾曲させるように押圧する。主動ロールと受動ロールは、いずれも鉄筋の軸方向に沿って回転する。稼働時に、鉄筋は主動ロールに駆動されて止まることなく前進するが、多くの受動ロールは、前進し続ける鉄筋に押圧し、複数回にわたって湾曲させるように繰り返し、応力を除去し、直線矯正を実現する。鉄筋は、湾曲するたびに、本来わずかに伸長できるが、すなわち、湾曲回数と比例的に延伸することができる。しかし、下の列が全て受動ロールであり、また同一の速度で回転し、かつそれらの稼働径が同一であり、すなわち稼働面の線速度が一様であるため、鉄筋前進方向における前の主動ロールは、後ろから来る鉄筋の伸長を制限し、延伸させないようにする。
【０００６】
従来のコイル鉄筋に対して延伸、直線矯正加工を行うユニットは、後ろ側に独立した延伸機を設けるとともに、前側に独立した直線矯正機を設けて組み合わせたものである。延伸機は、鉄筋を一つの強力牽引機の牽引ロールと複数の受動延伸ロールに巻き付ける。牽引機を稼働させると、牽引ロールに巻き付けられた鉄筋は受動延伸ロールを通過するときに、湾曲を繰り返すことにより延伸を実現し、それから直線矯正機に入り直線矯正を実現する。該ユニットの不備として、（１）延伸、直線矯正を経た鉄筋、特にＨＲＢ３３５以上強度の異形鉄筋につき、リブ損傷が非常に大きいこと、（２）製造コストが高いこと、（３）稼働におけるエネルギー消費が大きいこと、（４）操作及びフィードがとても不便であることがある。
【考案の概要】
【考案が解決しようとする課題】
【０００７】
本考案の目的は、従来技術の上記不備を解消し、延伸機能を備える下部主動型混合圧力ロール式鉄筋直線矯正機を提供することにある。
【課題を解決するための手段】
【０００８】
本考案の上記目的を達成する技術案として、延伸機能を備える下部主動型混合圧力ロール式鉄筋直線矯正機において、直線矯正機の前端に位置する牽引機構と、牽引機構の後端に位置する直線矯正延伸機構とを含み、直線矯正延伸機構は、直線矯正ロールフレームと、二列の直線矯正ロールと、直線矯正ロール調整部材からなり、二列の直線矯正ロールは、直線矯正ロール軸とベアリングを介して直線矯正ロールフレームに取り付けられ、すなわちいずれも受動的であり、かつ互いにずらして被加工物である鉄筋に押圧する。
【０００９】
本考案の更なる技術案として、牽引機構は、牽引ロールフレームと、下牽引ロールと、上牽引ロールと、牽引ロール調整部材からなり、下牽引ロールは、牽引ロール軸を介して牽引ロールフレームに取り付けられ、上牽引ロールは、牽引ロール軸とベアリングを介して牽引ロールフレームに取り付けられ、牽引ロール調整部材は、牽引ロール軸と接続し、下牽引ロールは、牽引ロール軸を介して原動機の動力出力部材と接続し、すなわち、下牽引ロールは主動的であり、上牽引ロールは受動的であり、牽引ロール調整部材による作用で被加工物である鉄筋を挟持する。
【００１０】
本考案のまた更なる技術案として、直線矯正延伸機構の後端に位置するフィード機構を更に備え、フィード機構は、フィードロールフレーム、下列フィードロールと、上列フィードロールと、フィードロール調整部材からなり、下列フィードロールと上列フィードロールは、フィードロール軸を介してフィードロールフレームに取り付けられ、フィードロール調整部材は、フィードロール軸と接続し、フィードロール軸は、クラッチを介して原動機と接続し、かつ互いに揃っており、下列フィードロールと上列フィードロールは、フィードロール調整部材による作用で被加工物の鉄筋を挟持し、クラッチが結合するときに主動的であり、クラッチが分離したときに受動的であり、下列フィードロールと上列フィードロールの軸線は、ともに被加工物である鉄筋の軸線に対して垂直になる。
【考案の効果】
【００１１】
本考案は、上記技術案を採用することにより、従来の一つの延伸機と一つの直線矯正機を組み合わせて鉄筋に対して延伸と直線矯正加工を行うユニットを代替した。従来技術に比べ、本考案は、鉄筋直線矯正機が鉄筋を直線に矯正することしかできず鉄筋を延伸させることができないという難題を効果的に解決し、一つのマシンで二つの機能を持ち、操作しやすいといったメリットを有する。設備の機構を大きく簡単化し、設備用鋼材を節約し、設備の製造コストを低下するとともに、設備稼働におけるエネルギー消費を低減させる。
【図面の簡単な説明】
【００１２】
【図１】図１は、本考案の実施例１の構造を示す図面である。
【図２】図２は、本考案の実施例２の構造を示す図面である。
【図３】図３は、本考案の実施例３の構造を示す図面である。
【図４】図４は、本考案の実施例４の構造を示す図面である。
【図５】図５は、本考案の実施例５の構造を示す図面である。
【図６】図６は、本考案の実施例６の構造を示す図面である。
【図７】図７は、本考案の実施例７の構造を示す図面である。
【図８】図８は、本考案の実施例８の構造を示す図面である。
【図９】図９は、本考案の実施例９の構造を示す図面である。
【図１０】図１０は、本考案の実施例１０の構造を示す図面である。
【図１１】図１１は、本考案の実施例１１の構造を示す図面である。
【図１２】図１２は、本考案の実施例１２の構造を示す図面である。
【図１３】図１３は、本考案の実施例１３の構造を示す図面である。
【図１４】図１４は、本考案の実施例１４の構造を示す図面である。
【図１５】図１５は、本考案の実施例１５の構造を示す図面である。
【図１６】図１６は、本考案の実施例１６の構造を示す図面である。
【図１７】図１７は、本考案の実施例１７の構造を示す図面である。
【図１８】図１８は、本考案の実施例１８の構造を示す図面である。
【図１９】図１９は、本考案の実施例１９の構造を示す図面である。
【図２０】図２０は、本考案の実施例２０の構造を示す図面である。
【図２１】図２１は、本考案の実施例２１の構造を示す図面である。
【考案を実施するための形態】
【００１３】
以下、図面と具体的な実施形態とともに本考案の詳細を更に記載する。
【００１４】
実施例１
図１に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。牽引機構は、牽引ロールフレーム１と、下牽引ロール２と、上牽引ロール３と、牽引ロール調整部材４からなる。下牽引ロール２は、牽引ロール軸５を介して牽引ロールフレーム１に取り付けられる。上牽引ロール３は、牽引ロール軸３１とベアリング３２を介して牽引ロールフレーム１に取り付けられる。牽引ロール調整部材４は、牽引ロール軸３１と接続する。下牽引ロール２は、牽引ロール軸５を介して原動機の動力出力部材と接続する。すなわち、下牽引ロール２は主動的であり、上牽引ロール３は受動的である。牽引ロールフレーム１には、上下に揃う下牽引ロール２と上牽引ロール３もあれば、上下にずらした下牽引ロール２と上牽引ロール３もある。上下に揃う下牽引ロール２と上牽引ロール３は、牽引ロールフレーム１の前部、中部、後部に位置し、他はいずれも上下にずらした下牽引ロール２と上牽引ロール３である。上牽引ロール３と下牽引ロール２は、牽引ロール調整部材４による作用で被加工物である鉄筋６を挟持する。直線矯正延伸機構は、直線矯正ロールフレーム７と、二列の直線矯正ロール８と、直線矯正ロール調整部材９からなる。二列の直線矯正ロール８は、垂直方向に配置され、直線矯正ロール軸１０とベアリング１１を介して直線矯正ロールフレーム７に取り付けられ、すなわちいずれも受動的であり、かつ互いにずらして被加工物である鉄筋６に押圧する。フィード機構は、フィードロールフレーム１２と、下列フィードロール１３と、上列フィードロール１４と、フィードロール調整部材１５からなる。下列フィードロール１３と上列フィードロール１４は、フィードロール軸１６を介してフィードロールフレーム１２に取り付けられる。フィードロール調整部材１５は、フィードロール軸１６と接続する。フィードロール軸１６は、クラッチを介して原動機と接続し、かつ互いに揃う。下列フィードロール１３と上列フィードロール１４は、フィードロール調整部材１５による作用で被加工物である鉄筋６を挟持する。クラッチが結合するときに主動的であり、クラッチが分離したときに受動的である。下牽引ロール２と上牽引ロール３、および二列の直線矯正ロール８、下列フィードロール１３、上列フィードロール１４の軸線は、いずれも被加工物である鉄筋の軸線に対して垂直となる。
【００１５】
稼働時に、鉄筋６は、フィード機構の下列フィードロール１３と上列フィードロール１４に挟まれる。原動機と動力的に接続するフィードロール軸１６は、鉄筋６の軸方向周りに止まることなく回転させるように下列フィードロール１３と上列フィードロール１４とを動かし、牽引される鉄筋６が前進し続ける。鉄筋が直線矯正機中部の直線矯正機構を通過して直線矯正機前端の牽引機構の位置に前進すると、クラッチが分離され、下列フィードロール１３と上列フィードロール１４とを受動的にする。牽引機構の下牽引ロール２と上牽引ロール３によって牽引される鉄筋６は前進し続ける。前進し続ける鉄筋６は、直線矯正機構の二列の直線矯正ロール８を動かし、鉄筋６が繰り返して湾曲される。それにより、一方では元々の湾曲応力が除去されて直線に矯正されるが、他方では、直線矯正機構の二列の直線矯正ロール８がいずれも受動的であるため、鉄筋６を前進させる際に、複数回にわたって湾曲し、しかも複数回にわたって制限されることなく自由に伸長する。同時に、牽引機構は、後端にある自由に伸長可能な鉄筋６に対して一定の引張力を有するため、国家基準による許容範囲内を満たす延伸を実現し、鋼材節約の目的を達成する。
【００１６】
実施例２
図２に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。直線矯正延伸機構の二列の直線矯正ロール８は、水平方向に配置される。その他の構造は、前述の実施例と同一である。
【００１７】
実施例３
図３に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。直線矯正延伸機構は、水平直線矯正延伸機構と垂直直線矯正延伸機構からなる。水平直線矯正延伸機構は、水平に配置され、垂直直線矯正延伸機構は、垂直に配置される。垂直直線矯正延伸機構は、直線矯正ロールフレーム７と、二列の直線矯正ロール８と、直線矯正ロール調整部材９からなる。二列の直線矯正ロールは、直線矯正ロール軸１０とベアリング１１を介して直線矯正ロールフレーム７に取り付けられ、すなわちいずれも受動的であり、かつ互いにずらして被加工物である鉄筋６に押圧する。水平直線矯正延伸機構は、その構造が垂直直線矯正延伸機構の構造と同じである。その他の構造は、前述の実施例と同一である。
【００１８】
実施例４
図４に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。牽引機構の上下に揃う下牽引ロール２と上牽引ロール３は、牽引ロールフレーム１の前部と後部に位置し、他はいずれも上下にずらした下牽引ロール２と上牽引ロール３である。その他の構造は、実施例１と同一である。
【００１９】
実施例５
図５に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。直線矯正延伸機構の二列の直線矯正ロール８は、水平方向に配置される。その他の構造は、実施例２と同一である。
【００２０】
実施例６
図６に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。直線矯正延伸機構は、水平直線矯正延伸機構と垂直直線矯正延伸機構からなる。水平直線矯正延伸機構は、水平に配置され、垂直直線矯正延伸機構は、垂直に配置される。垂直直線矯正延伸機構は、直線矯正ロールフレーム７と、二列の直線矯正ロール８と、直線矯正ロール調整部材９からなる。二列の直線矯正ロールは、直線矯正ロール軸１０とベアリング１１を介して直線矯正ロールフレーム７に取り付けられ、すなわちいずれも受動的であり、かつ互いにずらして被加工物である鉄筋６に押圧する。水平直線矯正延伸機構は、その構造が垂直直線矯正延伸機構の構造と同じである。その他の構造は、実施例３と同一である。
【００２１】
実施例７
図７に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。牽引機構の上下に揃う下牽引ロール２と上牽引ロール３は、牽引ロールフレーム１の前部と中部に位置し、他はいずれも上下にずらした下牽引ロール２と上牽引ロール３である。その他の構造は、実施例１と同一である。
【００２２】
実施例８
図８に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。直線矯正延伸機構の二列の直線矯正ロール８は、水平方向に配置される。その他の構造は、実施例２と同一である。
【００２３】
実施例９
図９に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。直線矯正延伸機構は、水平直線矯正延伸機構と垂直直線矯正延伸機構からなる。水平直線矯正延伸機構は、水平に配置され、垂直直線矯正延伸機構は、垂直に配置される。垂直直線矯正延伸機構は、直線矯正ロールフレーム７と、二列の直線矯正ロール８と、直線矯正ロール調整部材９からなる。二列の直線矯正ロールは、直線矯正ロール軸１０とベアリング１１を介して直線矯正ロールフレーム７に取り付けられ、すなわちいずれも受動的であり、かつ互いにずらして被加工物である鉄筋６に押圧する。水平直線矯正延伸機構は、その構造が垂直直線矯正延伸機構の構造と同じである。その他の構造は、実施例３と同一である。
【００２４】
実施例１０
図１０に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。牽引機構の上下に揃う下牽引ロール２と上牽引ロール３は、牽引ロールフレーム１の中部と後部に位置し、他はいずれも上下にずらした下牽引ロール２と上牽引ロール３である。その他の構造は、実施例１と同一である。
【００２５】
実施例１１
図１１に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。直線矯正延伸機構の二列の直線矯正ロール８は、水平方向に配置される。その他の構造は、実施例２と同一である。
【００２６】
実施例１２
図１２に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。直線矯正延伸機構は、水平直線矯正延伸機構と垂直直線矯正延伸機構からなる。水平直線矯正延伸機構は、水平に配置され、垂直直線矯正延伸機構は、垂直に配置される。垂直直線矯正延伸機構は、直線矯正ロールフレーム７と、二列の直線矯正ロール８と、直線矯正ロール調整部材９からなる。二列の直線矯正ロールは、直線矯正ロール軸１０とベアリング１１を介して直線矯正ロールフレーム７に取り付けられ、すなわちいずれも受動的であり、かつ互いにずらして被加工物である鉄筋６に押圧する。水平直線矯正延伸機構は、その構造が垂直直線矯正延伸機構の構造と同じである。その他の構造は、実施例３と同一である。
【００２７】
実施例１３
図１３に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。牽引機構の上下に揃う下牽引ロール２と上牽引ロール３は、牽引ロールフレーム１の中部に位置し、他はいずれも上下にずらした下牽引ロール２と上牽引ロール３である。その他の構造は、実施例１と同一である。
【００２８】
実施例１４
図１４に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。直線矯正延伸機構の二列の直線矯正ロール８は、水平方向に配置される。その他の構造は、実施例２と同一である。
【００２９】
実施例１５
図１５に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。直線矯正延伸機構は、水平直線矯正延伸機構と垂直直線矯正延伸機構からなる。水平直線矯正延伸機構は、水平に配置され、垂直直線矯正延伸機構は、垂直に配置される。垂直直線矯正延伸機構は、直線矯正ロールフレーム７と、二列の直線矯正ロール８と、直線矯正ロール調整部材９からなる。二列の直線矯正ロールは、直線矯正ロール軸１０とベアリング１１を介して直線矯正ロールフレーム７に取り付けられ、すなわちいずれも受動的であり、かつ互いにずらして被加工物である鉄筋６に押圧する。水平直線矯正延伸機構は、その構造が垂直直線矯正延伸機構の構造と同じである。その他の構造は、実施例３と同一である。
【００３０】
実施例１６
図１６に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。牽引機構の上下に揃う下牽引ロール２と上牽引ロール３は、牽引ロールフレーム１の前部に位置し、他はいずれも上下にずらした下牽引ロール２と上牽引ロール３である。その他の構造は、実施例１と同一である。
【００３１】
実施例１７
図１７に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。直線矯正延伸機構の二列の直線矯正ロール８は、水平方向に配置される。その他の構造は、実施例２と同一である。
【００３２】
実施例１８
図１８に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。直線矯正延伸機構は、水平直線矯正延伸機構と垂直直線矯正延伸機構からなる。水平直線矯正延伸機構は、水平に配置され、垂直直線矯正延伸機構は、垂直に配置される。垂直直線矯正延伸機構は、直線矯正ロールフレーム７と、二列の直線矯正ロール８と、直線矯正ロール調整部材９からなる。二列の直線矯正ロールは、直線矯正ロール軸１０とベアリング１１を介して直線矯正ロールフレーム７に取り付けられ、すなわちいずれも受動的であり、かつ互いにずらして被加工物である鉄筋６に押圧する。水平直線矯正延伸機構は、その構造が垂直直線矯正延伸機構の構造と同じである。その他の構造は、実施例３と同一である。
【００３３】
実施例１９
図１９に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。牽引機構の上下に揃う下牽引ロール２と上牽引ロール３は、牽引ロールフレーム１の後部に位置し、他はいずれも上下にずらした下牽引ロール２と上牽引ロール３である。その他の構造は、実施例１と同一である。
【００３４】
実施例２０
図２０に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。直線矯正延伸機構の二列の直線矯正ロール８は、水平方向に配置される。その他の構造は、実施例２と同一である。
【００３５】
実施例２１
図２１に示すように、延伸機能を備える下部主動型混合圧力ロール式鉄筋直線矯正機は、直線矯正機の前端に位置する牽引機構と、牽引機構の後端に位置する直線矯正延伸機構と、直線矯正延伸機構の後端に位置するフィード機構とを含む。直線矯正延伸機構は、水平直線矯正延伸機構と垂直直線矯正延伸機構からなる。水平直線矯正延伸機構は、水平に配置され、垂直直線矯正延伸機構は、垂直に配置される。垂直直線矯正延伸機構は、直線矯正ロールフレーム７と、二列の直線矯正ロール８と、直線矯正ロール調整部材９からなる。二列の直線矯正ロールは、直線矯正ロール軸１０とベアリング１１を介して直線矯正ロールフレーム７に取り付けられ、すなわちいずれも受動的であり、かつ互いにずらして被加工物である鉄筋６に押圧する。水平直線矯正延伸機構は、その構造が垂直直線矯正延伸機構の構造と同じである。その他の構造は、実施例３と同一である。
【図１】
0003188803.tif 000003
【図２】
0003188803.tif 000004
【図３】
0003188803.tif 000005
【図４】
0003188803.tif 000006
【図５】
0003188803.tif 000007
【図６】
0003188803.tif 000008
【図７】
0003188803.tif 000009
【図８】
0003188803.tif 000010
【図９】
0003188803.tif 000011
【図１０】
0003188803.tif 000012
【図１１】
0003188803.tif 000013
【図１２】
0003188803.tif 000014
【図１３】
0003188803.tif 000015
【図１４】
0003188803.tif 000016
【図１５】
0003188803.tif 000017
【図１６】
0003188803.tif 000018
【図１７】
0003188803.tif 000019
【図１８】
0003188803.tif 000020
【図１９】
0003188803.tif 000021
【図２０】
0003188803.tif 000022
【図２１】
0003188803.tif 000023